(57)【特許請求の範囲】
【請求項１】
水中眼鏡が一対のレンズ部材を有し、前記レンズ部材が水中眼鏡着用者の鼻部前方に位置させる連結部材と、水中眼鏡着用者の頭部に掛回するヘッドバンドとによって連結され、一対の前記レンズ部材の外端部寄りに形成された第１バンド挿通孔に前記前方の反対側である後方から前記前方へ向かって通されたヘッドバンドの自由端部が前記側部に形成された係止部で複数回折曲されて前記側部に長さ調節可能に固定される水中眼鏡であって、
前記第１バンド挿通孔が前記水中眼鏡におけるレンズ部材の近くに形成されており、複数回折曲されて前記ヘッドバンドどうしが部分的に当接した後の前記自由端部が前記第１バンド挿通孔よりも前記レンズ部材から遠くに形成されている前記第１バンド挿通孔とは別の第２バンド挿通孔に前記前方から前記後方へ向かって通され、かつ、前記第２バンド挿通孔の周壁部と前記自由端部との間に、該自由端部の前記前方への抜脱を阻止可能なストッパー手段が、抜き取り可能に挿入されていることを特徴とする前記水中眼鏡。
【請求項２】
複数回折曲された後に前方から後方へ向かって延びる前記自由端部が、前記ヘッドバンドの前記第１バンド挿通孔に通された部位に圧接した後、前記部位と離間して前記第２バンド挿通孔に通されている請求項１記載の水中眼鏡。
【発明の詳細な説明】
【０００１】
【発明の属する技術分野】
この発明は、遊泳等に使用する水中眼鏡に関する。
【０００２】
【従来の技術】
実用新案登録第２５７０２０６号公報に記載の水中眼鏡では、眼鏡着用者の頭部に掛回されるゴム製の伸縮性ヘッドバンドの自由端部が眼鏡レンズの外端部に形成されたバンド挿通孔に後方から前方へ向かって通されている。この自由端部は、レンズ部材の外端部に形成された係止部で複数回折曲された後、前記バンド挿通孔に前方から後方へ向かって通されている。バンド挿通孔では、バンドどうしが密着して重なり合うことで互いの動きを拘束することができるから、バンドが頭部に掛回されて後方へ引張られても、バンドは挿通孔から抜けることがない。かようにして、ヘッドバンドが水中眼鏡に対して所要の長さにセットされる。
【０００３】
【発明が解決しようとする課題】
前記公知の水中眼鏡では、ヘッドバンドの伸長と収縮とが繰り返されるときに、その収縮のたびに、挿通孔に通されたバンドの自由端部が挿通孔から抜ける方向へ少しずつ移動する。その結果、水中眼鏡の着用を繰り返していると、所要の長さにセットしたはずのヘッドバンドが、いつの間にか長くなってしまう。かかる水中眼鏡では、ヘッドバンドの長さを度々セットし直す必要がある。バンド挿通孔の周縁部と挿通された自由端部との間にくさび形のストッパー部材を前方から圧入することで自由端部の移動を抑制することは可能である。しかし、バンドは、伸長すれば厚みが薄くなりストッパー部材の効果が弱められるから、水中眼鏡を長期間使用していると、やはりバンドの長さをセットし直す必要が生じる。
【０００４】
この発明が課題とするのは、ヘッドバンドの長さをセットし直す必要のない水中眼鏡を提供することにある。
【０００５】
【課題を解決するための手段】
前記課題解決のために、この発明が前提とするのは、水中眼鏡が一対のレンズ部材を有し、前記レンズ部材が水中眼鏡着用者の鼻部前方に位置させる連結部材と、水中眼鏡着用者の頭部に掛回するヘッドバンドとによって連結され、一対の前記レンズ部材の外端部寄りに形成された第１バンド挿通孔に前記前方の反対側である後方から前記前方へ向かって通されたヘッドバンドの自由端部が前記側部に形成された係止部で複数回折曲されて前記側部に長さ調節可能に固定される水中眼鏡である。
【０００６】
かかる前提において、この発明が特徴とするところは、前記第１バンド挿通孔が前記水中眼鏡におけるレンズ部材の近くに形成されており、複数回折曲されて前記ヘッドバンドどうしが部分的に当接した後の前記自由端部が前記第１バンド挿通孔よりも前記レンズ部材から遠くに形成されている前記第１バンド挿通孔とは別の第２バンド挿通孔に前記前方から前記後方へ向かって通され、かつ、前記第２バンド挿通孔の周壁部と前記自由端部との間に、該自由端部の前記前方への抜脱を阻止可能なストッパー手段が、抜き取り可能に挿入されていること、にある。
【０００７】
この発明の好ましい実施態様において、複数回折曲された後に前方から後方へ向かって延びる前記自由端部が、前記ヘッドバンドの前記第１バンド挿通孔に通された部位に圧接した後、前記部位と離間して前記第２バンド挿通孔に通されている。
【０００８】
【発明の実施の形態】
添付の図面を参照して、この発明に係る水中眼鏡の詳細を説明すると、以下のとおりである。
【０００９】
図１に斜視図で示された水中眼鏡１は、レンズ２Ａと枠２Ｂとが一体に形成された一対のレンズ部材３が、水中眼鏡着用者の鼻部前方に位置させる連結部材４と、頭部に掛回するヘッドバンド６とによって連結されている。レンズ部材３は、硬質プラスチック製のもので、横方向両端部のうちで、着用者の鼻部近傍に位置する内端部７は、前方へ向かって隆起する端壁４０に連結部材４の端部が取り外し可能に固定されている。眼鏡着用者の後頭部寄りに位置する外端部８では、レンズ部材３とは別体のバンド保持部材１０を介してヘッドバンド６が長さ調節可能に取り付けられている。レンズ部材３の周囲に形成されたフランジ部１１（図２参照）には、柔軟弾性材からなる環状の接顔パッド１２が取り付けられている。
【００１０】
図２は、図１のＩＩ−ＩＩ線矢視図である。ただし、この図ではパッド１２が仮想線で示されている。レンズ部材３の外端部８では、枠２Ｂから側方へ張り出し部１３が延び、バンド保持部材１０が張り出し部１３に載せられ、保持部材１０の周壁部分の一部１４が枠２Ｂに当接している。張り出し部１３には枠２Ｂの近くに位置する第１のバンド挿通孔である内側バンド挿通孔１６と、遠くに位置する第２のバンド挿通孔である外側バンド挿通孔１７とが形成される一方、保持部材１０には、図１の上下方向で向かい合う一対のアーム部１８と、互いに平行に図１の上下方向へ延びる内側バンド係止部２１と外側係止部２２とが形成されている。アーム部１８と内外のバンド係止部２１，２２とは、これらの間にバンド６を通すことができるように、横方向で互いに離間している。
【００１１】
ヘッドバンド６は、伸縮性を有するゴム製のもので、自由端部２３が、レンズ部材３の後方から部材３の内側挿通孔１６へ通された後、保持部材１０のアーム部１８と外側係止部２２との間、外側係止部２２と内側係止部２１との間、および内側係止部２２と周壁部１４との間に順に通される。さらに、自由端部２３は、方向を反転して張り出し部１３の外側挿通孔１７に通されて後方へ向かって延びている。
【００１２】
かかるヘッドバンド６は、保持部材１０の内外側係止部２１，２２で複数回折曲されることと、自由端２３の方向が反転することによってバンド６どうしが部分２６で当接することとによって、矢印Ｘで示す後方へ向かって引っ張られても枠部材３から外れにくくなる。ヘッドバンド６は、さらに、張り出し部１３の外側挿通孔１７において、挿通孔１７の周壁部２４とバンド６との間に、保持部材１０のアーム部１８に形成されたくさび形のストッパー部２７が挿入されることによって、より好ましくは圧入されることによって、部材３から一層外れにくくなる。バンド６が矢印Ｘ方向とその逆方向へ伸縮を繰り返しても、その伸縮する部分はストッパー部２７で押さえられている部分２８と擦り合うことがないから、ストッパー部２７には、これを前方へ向かって外側挿通孔１７から抜き取るように作用する力が殆ど働かない。それゆえ、ヘッドバンド６が所要の長さに一旦セットされると、水中眼鏡１の着脱を繰り返しても、その長さは変ることがない。
【００１３】
図３は、保持部材１０が部材３から外されているときの図２と同様な図面であるが、ヘッドバンド６が仮想線で示されている。ヘッドバンド６は、保持部材１０が図示の状態にあるときに、張り出し部１３と保持部材１０とに挿通される。バンド６が矢印Ｘ方向へ引っ張られて、保持部材１０が張り出し部１３の上に載せられ、このときに、保持部材１０のストッパー部２７が外側挿通孔１７へ圧入される。
【００１４】
図示例では、保持部材１０とレンズ部材３とが別体のものであるが、これらを一体化することも可能である。ただし、一体化したときには、ストッパー部２７に相当する部材を別体のものとして用意する必要がある。ストッパー部２７は、バンド６に圧接できるようにその厚みを設定することが望ましい。
【００１５】
【発明の効果】
この発明に係る水中眼鏡では、ヘッドバンドの伸縮すべき部分と、固定すべき部分とを互いに独立した別個の挿通孔に通して干渉し合うことがないようにしたから、水中眼鏡の着脱を繰り返しても、一旦セットしたバンドの長さは変わることがない。
【図面の簡単な説明】
【図１】水中眼鏡の斜視図。
【図２】図１のＩＩ−ＩＩ線矢視図。
【図３】レンズ部材と保持部材とが分離しているときの図２と同様な図面。
【符号の簡単な説明】
１    水中眼鏡
６    ヘッドバンド
８    側部（外端部）
１６    第１バンド（内側）挿通孔
１７    第２バンド（外側）挿通孔
２１    係止部
２２    係止部
２３    自由端部
２４    周壁部
２７    ストッパー手段
【図１】
0003541139.tif 000002
【図２】
0003541139.tif 000003
【図３】
0003541139.tif 000004